Podtech/llm-jp-corpus-v4-ja_patent huggingface dataset:
(57)【要約】　　　（修正有）【課題】従来のオーラビデオステーションのオーラレポートの中では、オーラが同じ人でも変化することの説明ができていなかった。しかしながら、オーラビデをステーションで撮影できるオーラを、良いオーラの状態に変化させ、立証する手法を提供する。【解決手段】桜子のフラワーアートセラピーでは、オーラビデオステーションの中で気穴があまり開かれていなかったり、乱れている部分の色を確認したり、好きなテーマの絵を描くことにより、必要としている色を確認し、総合してその人の必要としている色を出します。ついで必要ないろのものを２０分間みる。又同じ色のお香等の、エッセンス、ＣＤ、お茶等の五感を刺激する商品を併用することができる。外桜子のアートセラピーにより、該オーラビデオステーションで撮影したオーラレポートの状態を変化させる事のできることや、人のオーラは変化することを立証する。【選択図】　なし【特許請求の範囲】
【請求項１】
オーラビデオステーションのオーラの変化を促すための、桜子のフラワーアートセラピーの手法。
【請求項２】
請求項１に係る桜子のフラワーアートセラピーの手法に用いる、桜子のヒーリングアート。
【発明の詳細な説明】
【０００１】
【発明の属する技術分野】
本発明は、オーラビデオステーションのオーラレポートに関する。
【０００２】
【従来の技術】
従来のオーラビデオステーションは、人が発しているオーラを撮影し、オーラレポートとして説明できる画期的なものです。
【０００３】
【発明が解決しようとする課題】
しかしながら、オーラビデオステーションのオーラレポートの中では、オーラが同じ人でも変化することや、意識的に良いオーラの状態に変えることができることなどの説明がなされていないため、弊害が生じていました。
【０００４】
【課題を解決するための手段】
本発明は、オーラビデオステーションで撮影できるオーラを、良いオーラの状態へと変化させ、立証することで、上記課題を解決します。
【０００５】
【実施例】
本発明の桜子のフラワーアートセラピーでは、図１に示されるように、オーラレポートの中で気穴があまり開かれていなかったり、乱れている部分の色を確認し、また図２のように、好きなテーマの絵を描くことによって、心要としている色を確認し、総合してその人の必要としている色を出します。
【０００６】
本発明の桜子のヒーリングアートは、図３のように、上記結果の心要な色のものを２０分間見ます。また同じ色のお香、エッセンス、ＣＤ、お茶などの嗅覚・聴覚・味覚・視覚・触覚の五感を刺激する商品を併用することができます。
【０００７】
【発明の効果】
本発明は、図４のように、オーラビデオステーションで撮影したオーラレポートのオーラの状態を、良い状態へと変化させることができることや、人のオーラは変化することを立証することができます。
【図面の簡単な説明】
【図１】本発明に係る桜子のフラワーアートセラピーの手法の中で、オーラビデオステーションで撮影したオーラレポートのオーラの状態である。
【図２】上記の本発明に係る、好きなテーマで描かれた絵である。
【図３】本発明に係る、心要な色の桜子のヒーリングアートである。
【図４】桜子のヒーリングアートを用いた後のオーラの状態である。
【図１】
2004033699.tif 000002
【図２】
2004033699.tif 000003
【図３】
2004033699.tif 000004
【図４】
2004033699.tif 000005
(57)【要約】【課題】靴の踵高さに合わせて、義足の踝関節角を変える装置において、特許第１４３０３９８号のものを改良して、発生していたガタつき音を無くすことである。【解決手段】義足の踝関節角度切換装置において、カム部４ｂを包みこむ二分割ブッシュ５に設けられた４個の半円溝５ａとそれと合致する下腿１の内壁に設けられた４個の半円溝１ｂとが作り出す４個の穴にスプリングピン６を圧入する構造により、ガタつき音を無くす。【選択図】　図７
2004033693.tif 000002
【特許請求の範囲】
【請求項１】
下腿１、下腿先端２、およびそれらを連結する踝関節軸３、下腿先端２に設けられた偏心カム軸穴２ａとそれの一方の周囲に設けられたスプライン穴２ｂ、およびスプライン穴２ｂと嵌合および嵌合解除自在なスプライン４ｃを一端に有しカム軸４ａを両端に有する手動回転可能な偏心カム４、とからなる踝関節角度切換装置において、カム部４ｂを包みこむ二分割ブッシュ５に設けられた４個の半円溝５ａとそれと合致する下腿１の内壁に設けられた４個の半円溝１ｂとが作り出す４個の穴にスプリングピン６を圧入した構造。
【発明の詳細な説明】
【０００１】
本発明の装置は靴の踵高さに合わせて踝関節角を変えるためのもので、特許第１４３０３９８号の物を改良して、発生していたガタつき音を無くしたものである。図２、図３はその装置によって、それぞれ裸足の場合とハイヒールを履いた場合に合わせた状態である。
【０００２】
次に、図面について本装置の機能を説明する。図１は従来の踝関節角度切換装置の無い義足を表したものであるが、この図における下腿１が図２では下腿１および下腿先端２に分けられており、下腿１中央の長丸穴１ａに、図４に示す偏心カム４のカム部４ｂがはいっている。偏心カム４にはカム部４ｂの両端にカム軸４ａがあり、その片方の外側にスプライン４ｃが付いて一体になっている。カム軸４ａと組み合わせられることおよびスプライン４ｃはそれぞれ下腿先端２のカム軸穴２ａおよびスプライン穴２ｂ、によってクラッチが構成される。図２の状態から踵高さを変える場合には、偏心カム４を軸方向に押し、スプライン４ｃを押し出してクラッチを外した後、外に出ているスプライン４ｃをつまんで回転させる。そうすると、カム部４ｂに対してカム軸４ａが前方へ回転移動するので、下腿先端２が踝関節軸３回りに回転し、爪先を下げる。そこで再びクラッチを入れて固定する。このように、スプラインの歯がずれた数に対応した踵高さが選べるのである。
【０００３】
以上が踝関節角度切換装置の原理であるが、このままでは、カム部４ｂと長丸溝１ａとの間の微小隙間によってガタついて、音が発生する。その音の発生を無くすために、次のような構造にした。
【０００４】
図５に示すような４個の半円溝５ａが設けられている二分割ブッシュ５でカム軸４ｂを包み込む。また、下腿１には、長丸穴の断面図の図６に示しているように、長丸穴を広げて、内壁面に４個の半円溝１ｂを設けた。そして図７に示すように、４組の半円溝によって作り出される穴に、スプリングピン６を圧入した。この音の発生を無くす構造を特許申請するものである。
【図面の簡単な説明】
【図１】従来の義足の概略図である。
【図２】本発明の関節角度切換装置を組み込んだ義足において、裸足の場合の踵高さに踝関節角度を合わせた状態を示す図である。
【図３】該義足において、ハイヒールを履いた場合の踵高さに踝関節角度を合わせた状態を示す図である。
【図４】踝関節角度切換装置を構成する主要部品を示す図である。
【図５】本発明に必要な部品である、二分割ブッシュを示す図である。
【図６】本発明に必要な工夫を示す図である。
【図７】本発明の実施を示す図である。
【符号の説明】
１　　下腿
１ａ　長丸穴
１ｂ　半円溝
２　　下腿先端
２ａ　カム軸穴
２ｂ　スプライン穴
３　　踝関節軸
４　　偏心カム
４ａ　カム軸
４ｂ　カム部
４ｃ　スプライン
５　　二分割ブッシュ
５ａ　半円溝
６　　スプリングピン
【図１】
2004033693.tif 000003
【図２】
2004033693.tif 000004
【図３】
2004033693.tif 000005
【図４】
2004033693.tif 000006
【図５】
2004033693.tif 000007
【図６】
2004033693.tif 000008
【図７】
2004033693.tif 000009
(57)【要約】【課題】上向きに寝ることにより無呼吸症になったり、いびきをかくことが多いので横向きに寝やすくするためにまくらの頭を乗せる部分に直角に体を支える部分を設け寝返りをうちにくくして楽に横向きで寝られるようにしたいびき防止まくらを提供する。【解決手段】まくらの頭を乗せる部分（１）に直角に体を支える部分（２）を接続しまくらをＬ型にしたことを特徴とする。【選択図】　　図１
2004033696.tif 000002
【特許請求の範囲】
【請求項１】
まくらの頭を乗せる部分（１）に直角に体を支える部分（２）を接続しＬ型にしたいびき防止まくら。
【発明の詳細な説明】
【０００１】
【発明の属する技術分野】
この発明は、まくらの頭を乗せる部分に直角に体を支える部分を接続しＬ型にしたいびき防止まくらに関するものである。
【０００２】
【従来の技術】
従来のまくらは棒状のものであり、上向になったり横向きになったりと寝返りがし易いものであった。
【０００３】
【発明が解決しようとする課題】
本発明は上向きに寝ることにより無呼吸症やいびきをかくことに着目し、楽に横向きで寝られるようにした。本発明は以上のように上向きで寝るという欠点をなくすためになされたものである。
【０００４】
【課題を解決するための手段】
まくらの頭を乗せる部分（１）に寝返りができないように直角に体を支える部分（２）を接続しＬ型にした。
本発明は、以上の構成によりなるいびき防止まくらである。
【０００５】
【発明の実施の形態】
以下、本発明の実施の形態について説明する。
まくらの頭を乗せる部分（１）に寝返りができないように直角に体を支える部分（２）を接続しＬ型にした。
本発明は以上のような構造でこれを使用するときは頭を（１）の部分に乗せると、ちょうど直角部分（２）に体がささせられて寝返りをうちにくくなり上を向いて寝にくくなるためにいびきをかきにくくなる。
【０００６】
【発明の効果】
本発明を使用すれば楽に横向きに寝られるため無呼吸症が改善されいびきをかかなくなり熟睡することができる。
【図面の簡単な説明】
【図１】本発明の斜視図である。
【図２】本発明の使用状態を示す斜視図である。
【符号の説明】
（１）、頭を乗せるまくら部分
（２）、体を支えるまくら部分
【図１】
2004033696.tif 000003
【図２】
2004033696.tif 000004
(57)【要約】　　　（修正有）【課題】本発明は、パソコン等の収納デスクを出窓に組み込むことにより、室を広く利用できる。【解決手段】出窓１にライティングデスク２、扉３、棚４を取り付け、収納部分を作る。【選択図】　図１
2004033706.tif 000002
【特許請求の範囲】
【請求項１】
出窓と組み合わせたライティングデスク
【発明の詳細な説明】
この発明は、出窓の一部にライティングデスクを組み込むことで、未使用時にデスクの部分を収納部の扉として閉めた状態になり部屋内に出っ張る事無く又デザインも扉が壁と同じ面に納まりすっきりする。
【図面の簡単な説明】
【図１】本発明の出窓式ライティングデスクの室内側斜視図
【図２】本発明の出窓式ライティングデスクの未使用時の斜視図
【符号の説明】
１は出窓
２はライティングデスク
３は扉
４は棚
【図１】
2004033706.tif 000003
【図２】
2004033706.tif 000004
(57)【要約】　　　（修正有）【課題】この発明は、足の指間の蒸れを軽減するため、足の指間の皮膚病を防ぐため、あるいは治療するために足の指間に挟むようにしたシートを提供する。【解決手段】水分あるいは皮脂の吸収に優れた繊維や助剤を加工して、足指の間に挟めるようにしたシートを製造する。イ）足指の裏および指の付け根の裏側にフィットするサイズに基盤シートを裁断する。裁断した基盤シートを折っていき、基盤シートからシートの一部が垂直に立つようにする。これらのシートは指の間に挟めるようにする。垂直部のシート枚数は四枚が好ましい。ロ）シートには水分または皮脂吸収に優れた繊維などを利用するのが好ましい。ハ）基盤シート表面に接着剤を塗り、足裏の皮膚からシートが剥がれにくくするのが好ましい。ニ）垂直のシートの端部分は、足指の付け根に触れるようにするのが好ましい。【選択図】　図１
2004033707.tif 000002
【特許請求の範囲】
【請求項１】
足の指間に挟むように設計した足の指間の蒸れを軽減するためのシート。
【請求項２】
足の指間に挟むように設計した足の指間の皮膚病を防ぐため、または治療するためのシート。
【請求項３】
イ）水分または皮脂の吸収に優れた繊維等を加工した特許請求項目１のシート。ロ）一度吸収した水分または皮脂を皮膚に戻さないように工夫した特許請求項目１のシート。
ハ）水分または皮脂吸収に優れた剤を配合した特許請求項目１のシート。
ニ）足のにおいを取るための剤を配合した特許請求項目１のシート。
ホ）足の皮膚病を予防あるいは治療するための薬剤を配合した特許請求項目２のシート。
【請求項４】
イ）水分または皮脂吸収基盤シートに四枚の吸収シートを垂直に立ち上げ、各足指の間に挟めるようにした特許請求項目１および２のシート。
ロ）水分または皮脂吸収基盤シートに二枚あるいは三枚の吸収シートを垂直に立ち上げ、指の間に挟めるようにした特許請求項目１および２のシート。
ハ）基盤シートに粘着物質を塗り、装着時、足の皮膚から剥がれにくくした特許請求項目１および２のシート。
ニ）一枚のシートを足親指から小指にかけて指間を通して巻けるようにようにした特許請求項目１および２のシート。
【発明の詳細な説明】
【０００１】
【発明の属する技術分野】
この発明は水分あるいは皮脂吸収シートの加工技術を用いて、足の指の間に挟めるシートを製造することにある。
【０００２】
【従来の技術】
足の蒸れやにおいを防ぐために種々の助剤を配合したインソールなどがあるが、足の指の間には効果がない。
【０００３】
【発明が解決しようとする課題】
人の皮下組織には、二種の汗腺と一種の脂線からなる内分泌組織がある。靴などを長時間履いていると足指のまわりにかかる圧迫がもたらす不快感のため、先ず脂質を含んだ汗が分泌してくる。この汗の中の分泌物は細菌により分解され、悪臭を放つ。歩行による足の発熱を防ぐため、気化熱で下げようと、水性の汗が分泌される。靴の中ではこの汗が気化して外に出ていきにくいため、足の指の回り、特に指間は多湿状態になる。また温度も高いため、汗腺は汗を出し続ける。その結果多汗症、臭汗症や脂症と言われる結果になる。またこのような条件下では汗の成分を食べて悪臭を出す細菌だけでなく、水虫や他の菌類にとって最高の生息条件のため増殖がはやい。これらの状態を軽減するためには、皮膚の水分をすばやく吸い取ることが効果的である。特に足の指の間の水分をすばやく吸い取ることで、足の快適さを体験できる。同時に皮脂を吸収することでより良い快適さを得ることができる。
現在スポンジなどでできた指に挟む製品等が売られているが、これらには水分や皮脂の吸収効果を期待できない。また装着時はあまり快適ではなく、さらにその状態で靴を履くのは不可能である。またインソール等も販売されているが、指の間には効果がない。よってより実用的な物を開発する必要があり、本発明に至った。
水分の吸収剤や水分あるいは皮脂の吸収に優れた繊維を加工し、シート状にし、足の各指の間に挟めるようにすることにより足の指間の不快感を除くことができる。一枚のシートを折り曲げ、足の指の間に挟む部分を垂直に立ち上げて製造できるため、製造費を低くおさえ、毎日使い捨て使用できる価格での販売が可能である。
【０００４】
【問題を解決するための手段】
イ）足指の裏および指の付け根の裏側にフィットするサイズに基盤シートを裁断する。裁断した基盤シートを折っていき、基盤シートからシートの一部が垂直に立つようにする。これらのシートは指の間に挟めるようにする。垂直部のシート枚数は四枚が好ましいが必要に応じて一枚、二枚、あるいは三枚でもよい。垂直に立てるためのシート部分は別に準備したものを基盤シートに接着してもよい。また型に入れて基盤シートから垂直シート部分が出るように成型してもよい。
ロ）シートには水分または皮脂の吸収に優れた繊維などを利用するのが好ましい。シートには水分または皮脂吸収に優れる剤を配合したり、足のにおいを軽減する剤、足の皮膚病を予防あるいは治療する薬剤を配合しても良い。
ハ）基盤シート表面に接着剤を塗り、足裏の皮膚からシートが剥がれにくくするのが好ましい。
ニ）垂直のシートの端部分は足指の付け根に触れるようにするのが好ましい。
【０００５】
【発明の実施の形態】
水分吸収に優れた繊維でつくったシートを足指の幅にフィットするように裁断し、折り曲げて垂直部分を四カ所作り、それを足の指間に挟んだ。足指の裏からシートが剥がれにくいように、接着のりを基盤シート表面に塗布した。
【０００６】
【発明の効果】
足指の間に発明シートを装着し、靴を履いた状態で朝８時から夕方５時まで過ごした。装着中は指間がじとじとすることがなく、快適であった。
装着前と後でシートの重さを計った結果は表１の通りであり、シートの重量は平均０。１グラム増加していた。
2004033707.tif 000003
【図面の簡単な説明】
【図１】本発明のシート図
【図２】本発明シートの使用図
【符号の説明】
１は指の間に挟む垂直部分
２は基盤シート
【図１】
2004033707.tif 000004
【図２】
2004033707.tif 000005
(57)【要約】【課　題】作動液に発光体を持つヒートパイプを内蔵した指輪本体に発光体を封材とした指輪を指に装着する事によりヒートパイプが作動し、作動液が発光し、発光体が二次発光する事により発光体に接する宝石類が内部より発光する事を可能にした。【解決手段】図１全体図、図２断面図の１指輪本体に内蔵の２ヒートパイプその構成は３溝状又はメッシュのウィックと４発光作動液により、指に装着時４発光作動液が光り、二次的に５封材即ち発光体が光を発し６宝石装着ツメ部により留められた７宝石類が照射を受けて内部発光する様にしたもの。【選択図】図１
2004033701.tif 000002
【特許請求の範囲】
【請求項１】
指輪本体は金属製のヒートパイプであり、作動液は発光液体が封入され、封印部はガラス等の発光固体で封じ込めた指輪である。指に指輪を装着した時に体温伝導によりヒートパイプは作動し、封入された発光液体自ら発光し、封材としての発光固体を二次発光せしめる。指輪を指から外せばヒートパイプ作動が停止し、発光も止まる。即ち自ら発光する指輪を提供するものである。
【発明の詳細な説明】
【０００１】
【発明の目的】宝石の指輪は有視光が当る事により輝くもの。又、外部の電源を用いてライトで照射しない限り指輪の宝石は光らなかった。石を光らせる指輪は指に装着する事により、指輪自ら光る事を可能にした。
【０００２】
【発明の構成】指輪本体となるヒートパイプは本体は銅・鉄・ステンレスアルミ及び合金であり空洞を持つ。ウィック部は縦溝又はメッシュであり、作動液は自ら発行する硫化亜鉛、硫化ストロンチウム等の無機発光体又は有機化合物液体を用い、減圧は０．５気圧を超える事が必要で、金属ウィックを持つ空洞内に封入する。封入口即ち指輪開口部、一ヶ所には発光塗料等に用いられる染料のエオシン・ローダン等を加え成形したガラス状の発光体で封じ込め指輪を構成する。
尚、指輪本体外周面には、金・銀・プラチナ等の貴金属のメッキ処理を施し、発光体上に天然宝石等を金属ツメ等に置く事により、発明の自ら発光体を持つ宝石指輪となる。
【０００３】
【発明の効果】光る指輪を指に装着する事により、暗い所はもちろん明るい所でも倍加して宝石類等が自ら発光する指輪の光により、光り輝く事となる。
【図面の簡単な説明】
【図１】ヒートパイプの指輪本体と封材即ち発光体を持った宝石指輪全体図である。
【図２】ヒートパイプの指輪本体と発光体を持った宝石指輪の断面図である。
【符号の説明】
１　指輪本体
２　ヒートパイプ部
３　ウィック部
４　発光作動液
５　封材即ち発光固体部
６　宝石装着ツメ部
７　宝石類
【図１】
2004033701.tif 000003
【図２】
2004033701.tif 000004
(57)【要約】【課題】時計に付属する既存のバンドを交換せずに新たな時計用バンドを付加する方法を提供する。【解決手段】腕時計固定用帯（２）にて時計と付加式時計バンド（１）を固定し、腕固定用帯（３）にて時計バンド（１）を腕に装着する事を特徴とする。【選択図】　　図２
2004033705.tif 000002
【特許請求の範囲】
【請求項１】
腕時計固定用帯（２）にて時計と付加式時計バンド（１）を固定し、腕固定用帯（３）にて時計バンド（１）を腕に装着する腕時計バンド。
【発明の詳細な説明】
【０００１】
【発明の属する技術分野】
本発明は時計に付属する既存の腕時計バンドを交換することなしに、時計本体に時計バンドを付加、装着する腕時計用バンドに関するものである。
【０００２】
【従来の技術】
従来から腕時計を腕に装着するためのバンドは様々な交換用のバンドを含め数多く存在していた。
【０００３】
【発明が解決しようとする課題】
しかしながら、従来の交換用腕時計バンドには交換に特殊な道具が必要であったり、専門的な知識が必要であったり、又その交換も素人には難しいものが合った。また、腕時計に付属する既存のバンドが気に入っているにもかかわらず、金属アレルギー等の理由により直接腕に装着するのがためらわれる場合があった。本発明は簡単に、安価に腕時計バンドの見た目を変え、又、金属アレルギー等腕時計の既存の材質にかぶれ等を起こすことを防ぐなど、経済面、健康面、さらにはデザイン面等に優れた付加式の腕時計バンドを提供することを課題とする。
【０００４】
【課題を解決するための手段】
既存の腕時計のバンド（５）に腕時計固定用帯（２）を固定、装着し、腕固定用帯（３）を腕に固定、装着する。
【０００５】
【発明の実施の形態】
既存の腕時計のバンド（５）に腕時計固定用帯（２）を装着し、腕固定用帯（３）を腕に装着する。腕時計固定用帯（２）は既存の腕時計バンド（５）のほぼ全面を被うほど幅広でも良い。そうすることによって既存の腕時計バンドの見た目を簡単に変更することが出来る。これらの帯は布、ゴム、等の柔軟性に富む素材、金属、プラスチック等をベルト、鎖状にした物など、腕、時計を固定するのに十分な強度と、柔軟性を持った物ならなんでも良い。腕時計固定用帯（２）、腕固定用帯（３）は金具（プラスチック製、等含む。）または、マジックテープ等（６）（７）で両端を固定する。
【０００６】
【発明の効果】
本発明を使用する事によって既存の腕時計バンドを交換することなく、簡単に、安価に腕時計バンドの見た目を変え、又、金属アレルギー等、腕時計の既存の材質にかぶれ等を起こすことを防ぐなど、経済面、健康面、さらにはデザイン面等に優れた付加式の腕時計バンドを提供することが出来る。
【図面の簡単な説明】
【図　１】本発明の斜視図である。
【図　２】本発明の実施例の斜視図で（ａ）は時計を固定、装着する前の図であり、（ｂ）は時計を固定、装着しようとしている図である。
【図　３】本発明の実施例の側面から見た斜視図である。
【符号の説明】
１　　付加式時計バンド　　　　　２　　腕時計固定用帯
３　　腕固定用帯　　　　　　　　４　　腕時計
５　　既存の腕時計に付属するバンド
６　　マジックテープ　オス　　　７　　マジックテープ　メス
【図１】
2004033705.tif 000003
【図２】
2004033705.tif 000004
【図３】
2004033705.tif 000005
(57)【要約】［課題］　細く曲がった鼻腔の奥深くを清浄消毒するのに、綿棒が使用されていますが、従来の綿棒の芯は、堅く柔軟性が少ないために、鼻腔内を傷つけたり、痛みを発生させたりする支障がある。また、吸水性のない堅い芯は、水分を除去しがたい。［解決手段］　棒状にした紙撚を綿棒の芯に使用することにより、柔軟性ある細長い綿棒とすることが出来て、細く曲がった鼻腔の奥まで、優しく柔らかく綿棒を挿入することが可能となり、鼻腔内を傷つけたり、痛みを生じさせることを防止出来る。また、吸水性のある紙撚を使用することで、吸水性と異物の吸着性を兼ね備えたものとなる。【選択図】　　　図２
2004033708.tif 000002
【特許請求の範囲】
【請求項１】
棒状の紙撚に綿を捲きつけ捻り合わせて作られた綿棒
【発明の詳細な説明】
【０００１】
本発明は、棒状の紙撚を芯として、綿を捲きつけ捻り合わせることで、紙撚で出来た棒と綿がからまり、棒と綿の密着性を良くした綿棒である。また、本発明は、全長に渡って捻り皺がある棒を使用することで、捻り皺で綿を把握するため長い綿棒に出来るものである。
【０００２】
従来、綿棒は、比較的に堅い筒状又は棒状の芯を使用しているために、柔軟性がなく、細く曲がった鼻腔等の奥に挿入すれば、傷をつけたり、痛みを発生させる障害を生じさせていましたが、柔軟性ある紙撚を棒に使用することで、また、長い綿棒に出来たために、直視出来ない細く曲がった腔内も、柔らかく優しく挿入出来る上に万遍に接触出来るものである。
【０００３】
本発明は、紙撚の棒に綿を捲きつけて、長い綿棒としているので、吸水性に優れ異物等の吸着性をも良くしたものである。
また、柔軟性のある紙撚を棒に使用しているので、摘みの部分には、摘み安くするために補強材を取り付けたものである。
［発明の属する技術分野］
日常生活で、手軽に使用される綿棒に属するもので、構造も簡単で生産も比較的に容易にできるが、本発明は、従来の綿棒とは、形状も構造も特異なもので、製造方法も捻り合わせる等異質なものである。
［従来の技術］
従来の綿棒は、プラスチックまたは紙製の比較的に堅い棒状または筒状のものを芯に使用し、綿を捲き付ける部分には、綿がからまるように突起疵をつけて制作されている。
［発明が解決しようとする課題］
細く曲がった鼻腔の奥まで、洗浄や消毒したり、花粉等の異物を拭きとるのに鼻腔内を傷つけたり、痛みを発生させることもなく、柔らかく優しく使用することができる上に、吸水性と吸着性が良いようにする。
［発明が解決しようとする手段］
本発明は、堅い棒に突起疵をつけて綿を捲き付けるのではなく、紙撚の捻り皺に綿を捻り挟みからませて柔軟性ある芯に密着させることで、吸水性と吸着性のある長い綿棒とできる。
［実施例］
図面に示すように、柔軟性ある長い綿棒の先端部分は、丸く大きく綿を捲き付けたもので、摘み部分は、補強材を取り付けたものである。
［発明の効果］
鼻腔の奥まで、柔らかく優しく挿入でき、鼻腔内を傷つけたり痛みを発生させることなくし、吸水性と吸着性を兼ねそなえるものとなる。
【図面の簡単な説明】
【図１】紙撚を芯に使用した綿棒の実施例を示す平面図である。
【図２】紙撚を芯に使用した綿棒の実施例のＡ−Ｂ断面図である。
【図３】紙撚を芯に使用した綿棒の実施例のＣ−Ｄ断面図である。
【符号の説明】
１　　紙撚の棒
２　　綿
３　　摘み補強材
【図１】
2004033708.tif 000003
【図２】
2004033708.tif 000004
【図３】
2004033708.tif 000005
(57)【要約】【目的】不衛生になっていたピアス等で開孔した患部の内部を、清潔に保つための衛生用品。【構成】本体１に消毒液を染み込ませ、患部２の内部を清拭する。【選択図】図２
2004033719.tif 000002
【特許請求の範囲】
【請求項１】
清潔な綿素材を細く加工した衛生用品。
【発明の詳細な説明】
【０００１】
【産業上の利用分野】
この発明は、ピアス等で開孔した患部の内部の消毒、及び汚れを落とす時に使用する新しい衛生用品である。
【０００２】
【従来の技術】
従来、ピアス等で開孔した患部の内部の消毒、及び汚れを落とす時に使用する衛生用品はなかった。
【０００３】
【発明が解決しようとする課題】
従って、患部に接するピアス側部分を消毒しても、抗菌予防にはなるが、患部の内部までは消毒、及び汚れを落とすことができなかった。身体は、自然にしていても汗をかき、汚れもたまるものである。まして患部の内部は狭く、それを清潔に保てる衛生用品はなかった。
本発明は、それらの欠点を解決するためになされたものでる。
【０００４】
【課題を解決するための手段】
本発明を図１について説明すれば、清潔な綿素材を用いてピアス等で開孔した図２の患部２に合うサイズに加工したものである。
【０００５】
【作用】
本発明は、以上のような構成であるから、本体１に消毒液を染み込ませたうえで、ピアス等で開孔した患部２の内部を清拭できる。
【０００６】
【発明の効果】
すると、不衛生になっていたピアス等で開孔した患部の内部を、清潔に保つことができる。
【図面の簡単な説明】
【図１】本発明の側面図
【図２】本発明の使用図
【符号の説明】
１．本体
２．患部
３．身体の部位
【図１】
2004033719.tif 000003
【図２】
2004033719.tif 000004
(57)【要約】　　　（修正有）【課題】交通災害を防止するための洋傘を提供する。【解決手段】洋傘の透明な傘布の一部を注視色体又は注視文字体の布地にする。この注視色体又は注視文字体の布地は黄色であってもよい。またこの注視色体又は注視文字体の布地は、蛍光体であってもよい。さらに、注視文字体は交通安全に関わる表記文字としてもよい。透明な傘布２ａに不透明の傘布２ｂを混在させ目立つようにして歩行者の安全を確保する。車両運転者にとって認識ができるので、特に有効である。【選択図】　　　　図１
2004033720.tif 000002
【特許請求の範囲】
【請求項１】
傘布が透明であり、この透明な傘布の一部を注視色体又は注視文字体の布地にすることを特徴とする洋傘。
【請求項２】
請求項１記載の洋傘において、
前記注視色体又は注視文字体の傘布は、黄色の布地であることを特徴とする洋傘。
【請求項３】
請求項１記載の洋傘において、
前記注視色体又は注視文字体の布地は、蛍光体の布地であることを特徴とする洋傘。
【請求項４】
請求項１記載の洋傘において、
前記注視文字体は、交通安全の表記文字であることを特徴とする洋傘。
【発明の詳細な説明】
【０００１】
【発明の属する技術分野】
本発明は、洋傘に関わる。更に詳しくは、路上における歩行者の交通安全のための洋傘に関わる。
【０００２】
【従来の技術】
降雨時に歩行者は、一般道路において、前後、左右をくまなく車両の通過をみて安全をはかりながら歩行する。傘を差すと前方がみにくい場合がある。雨で傘を差す場合であっても前方の視野が確保され安全に歩行できるのが理想である。特に雨が強く、風が強いときには、傘を前面に倒しながら歩行する。
【０００３】
このため前方が見えなくなるので、信号の見落としがあったり、車両通過に気が付かず危険性が増す。特に年少者や年配者においては、即応できる状態でないので尚危険である。このため、傘布全体を透明にして前方がよく見えるようにした洋傘が市販され、これは公知である。
【０００４】
【発明が解決しようとする課題】
本発明は、前述のように危険な状況を少しでも軽減させる洋傘として提案するものである。従来のものは、どちらかというと、歩行者にとっては安全であっても、車両運転者にとっては発見しづらい欠点があり、必ずしも安全とは言えないものであった。
【０００５】
既にこのような安全を確保する目的で、傘柄の先端に発光部等を設けたものが公知である。しかしながら、従来のものは、一般に複雑で装置や部材にコストがかかり、一般に汎用的に使用されるには高価である。本発明は、このような従来の問題点を解決するもので、危険を小さくすることのできる低コストで、容易に製造のできる洋傘を提供することを目的としている。
【０００６】
【課題を解決するための手段】
前記課題を解決するために本発明の洋傘は、次のような手段を採る。即ち、
発明１の洋傘は、傘布が透明であり、この傘布の一部を注視色体又は注視文字体の布地にしている。透明体の傘布に不透明体の傘布が混在し目立つので容易に目視ができるようになる。
【０００７】
発明２の洋傘は、発明１において、前記注視色体又は注視文字体の布地は、黄色の布地であってもよい。黄色は目立つ色であり、又黄色は注意を喚起する色として認知されている。
【０００８】
発明３の洋傘は、発明１において、前記注視色体又は注視文字体の布地は、蛍光体の布地であってもよい。蛍光体は、夜間に車両のライトの光を受けて光るので目立つ効果がある。
【０００９】
発明４の洋傘は、発明１において、前記注視文字体は、交通安全の表記文字であってもよい。文字で認識させるのに効果がある。
【０００１０】
【発明の実施の形態】
以下、本発明の実施の形態を図面に従い詳細に説明する。図１は本発明の洋傘１を示す正面図である。図２は、その平面図である。洋傘１の基本構造は公知で、例えば柄の部分のボタン又はレバーで開傘するものである。本発明の洋傘１の傘布２は、ベースが透明性の例えばビニール製の布地である。傘布２は８つに分割されそれぞれが傘骨３によって支持されている。歩行者はこの洋傘１の柄５の部分を持って傘を差す。
【０００１１】
傘骨３は軸体４によって支持され公知の手段で開閉する。透明の傘布２ａのものは、視界が広くとれ洋傘１を差しながらも傘布２を通して前方が見える構造になっている。従って歩行者にとっては、安全面で危険性は軽減される。しかし、車両の運転者にとっては必ずしも安全であるとはいえない。傘布２が透明であると、傘の存在がわからないときがある。
【０００１２】
又区別のつきにくい状態となる。特に夜間の場合は、反射体がないので車両の運転者にとっては見にくく、非常に危険である。本発明はこの危険性を少なくするため、傘布２の一部を注視させるようにした。図１の洋傘１は、透明な傘布２ａの一部を黄色い傘布２ｂ（注視色体）としている。図における斜線部分である。この黄色い傘布２ｂは、８つに分割した傘布２の２つを注視色体としての黄色の傘布２ｂにし、他は透明の状態のものとする。
【０００１３】
この傘布２は表面、裏面とも同じ黄色にする。黄色は交通安全の基本色であり、又目立つ色であるので本発明の注視色とした。この傘布の色は、黄色以外に蛍光色であってもよい。又、傘布２の一部を全面的に黄色又は蛍光色にしないで、図３に示すように交通安全を表記し、運転者に注意を喚起する大きさの表記文字を付した傘布２ｃであってもよい。この表記文字を付した傘布２ｃであっても文字の地色は黄色又は蛍光色が注視色体として前述同様の効果を奏する。
【０００１４】
表記文字は運転者に注意喚起するための交通安全に関する文字であればどの文字であってもよい。この注視色体は不透明なので、車両の運転者にとっては、透明のものとの区別がつき、目視判断がしやすい。この注視色体は、ビニールに色付けしたものあるいは別布地を透明な布地に換えて貼り付けたものであってもよい。
【０００１５】
又、この注視色体は分割された傘布の２つに適用しているが、対称位置にそれぞれ設けた構成にしてもよい。視界を妨げることのない範囲で複数設けることに制限はない。このように、傘布の一部のみを注視色体にして車両運転者の注意を喚起するようにした。
【０００１６】
【発明の効果】
以上説明したように、本発明の洋傘は、透明な傘布を基本にしその一部のみを黄色等の注視色体にしたので、歩行者は傘を差しても前方が見え、歩行者の安全が確保できる。車両運転者にとっても、傘布が車のライトで浮かび上がり、注視し易くなる。又、特別な装置を傘の柄等に付ける必要がないので、従来と同様なコストで容易に製造ができる。
【図面の簡単な説明】
【図１】図１は、本発明の洋傘を示す正面図である。
【図２】図２は、本発明の洋傘を示す平面図である。
【図３】図３は、交通安全に関わる表記文字を注視文字体とした洋傘の平面図である。
【符号の説明】
１　洋傘
２ａ　透明な傘布
２ｂ　黄色の傘布
２ｃ　表記文字を付した傘布
【図１】
2004033720.tif 000003
【図２】
2004033720.tif 000004
【図３】
2004033720.tif 000005
(57)【要約】【課題】着座式の洋式便器の排便性の向上を計る事。【課題解決の方法】排便時の着座姿勢が大腿部を前上がりに臀部下部が前方に引き上げられる様なるよう着座部の前方に凸部２を設けて排便着座時に肛門部が開放され易く従って排便がし易くなるような着座式便器を提供する。【選択図】　　図１
2004033713.tif 000002
【特許請求の範囲】
【請求項１】
便座部（１）の着座部の形状が着座者の前方大腿部着座部に設けた凸部（２）によって前高形状にしてなる着座式便器。
【請求項２】
請求項１の形状構成の便座に於いて、開口部（６）の前方の内縁形状をＵ字形開口部（７）にしてなる着座式便器。
【請求項３】
請求項１の形状構成をなす便座部（１）の上に上面が平らになった小便座（１２）を回転可動に取り付けてなる着座式便器。
【発明の詳細な説明】
【０００１】
【発明の属する技術分野】
本発明は洋式即ち着座式便器の構造に関わる技術に関する。
【０００２】
【従来の技術】
従来の洋式即ち着座式便器の着座部の形状は着座面がおおむね水平になっている。従って使用者の着座時の姿勢も腰から膝にかけてのいわゆる大腿部の体位はほぼ水平になる。一方着座式でない和式便器による排便時の姿勢はいわゆるしゃがむ姿勢、従って大腿部の体位は前上がりの屈曲した姿勢となる事になる。
【０００３】
【発明が解決しようとする課題】
上記の様に従来の洋式便器と和式便器とでは使用者の排便時の姿勢は大きく異なっていて、その結果大便排出時の排出感即ち排出性に差が有るように思われる。　即ち一般的にも云われているし、本発明者の体験的実感でもそうであるが排便性はしゃがむ姿勢で排便する和式便器の方が良いようである。しかし近年の家屋建物の傾向として大小便に兼用出来て使用空間が狭くてすみ、且つ衛生管理上も優れている洋式便器の方がより普及してゆく傾向にある。　一方排便性の良否は即便秘症に直結する要素であり、その主要因は食生活によると云えども増々普及しつつある洋式便器による排便姿勢が排便性の点から必ずしも最適のものではないと思われるので、その改善を計る事を課題とする。
【０００４】
【課題を解決する為の手段】
従来の和式便器と着座式の洋式便器との排便性の差は排便時の姿勢にあると考えて本発明者が種々試みた結果、上体は垂直のまま大腿部を前上がりに屈曲させ、さらに臀部下部を前方へ持ち上げるような体位が肛門部が最も開放され易く排便性が良くなると云う結果を感得した。そこで本発明者は着座式便器に於いて着座時の体位がそのような姿勢になるよう着座式便器の着座部の形状を変えて着座式便器の排便性の向上を計るものである。
【発明実施の形態】
本発明の実施の形熊を示す実施例の図面を参照にして説明する。
図１の実施例は着座式便器上部の便座部１に於いて臀部着座面３に対して着座者の前方に凸部２を設けて大腿部着座部が寸法矢印５の如く数センチ高くなる様にしたものである。尚その際大腿部上部下面即ち臀部に近い所が接する部位には大腿部を押し上げる様な突起部１０を設けておく。
図２は上記の様な側面視形状を成した着座式便器の平面視形状を示したもので、便座開口部形状を従来の楕円形では無く前方は図１の突起部１０該当位置までＵ字形開口部７の様にしたものである。
図３は図１の実施例に示す形状をなす便座部１の上部に従来の着座式便器の便座面と同様に水平な着座面を有する小便座１２をヒンジ支点部１６を中心に回動開閉出来るようにして取り付けたものである。
図４は図２の実施例のＵ字形開口部７の形状を図１のＢ−Ｂ方向から見たものでＵ字形開口部は下方の仮想線１４までではなく下方は開口線１５の様に広げておく。
【０００６】
【発明の効果】
以上のように構成した本発明の着座式便器によれば、大便排便時着座者の体姿勢は上半身は垂直に大腿部は前高になりその時の両者の成す角度は角度矢印４の如く鋭角を成すことになり更に突起部１０の接触により臀部が前方に引き上げられる形になる。発明者の体験によれば、その結果肛門部は開放され易い体勢になり、垂直な上体の体姿勢による腹圧の下方への圧力とあい増して排便がし易くなる効果を生ずる。
図２の前方のＵ字形開口部７は突起部１０の大腿部押し上げ効果が大腿部全体におよぶように当たり面を広くしたものである。
以上のように図１の実施例のような着座式便器によれば大便排便性に優れた便器を提供出来るが、着座式洋式便器は大小便共用であり、小用時にも大便意を催すような事は好ましくないと思われるので、小用時には図３の如く本発明による便座部１の上に取り付けた小便座１２を使用すれば従来と同様に小便の用をたすことができる、尚大便排便時には同小便座１２は矢印１３のように開けて便座部１を使用することになる。尚図４の開口線１５は小用時飛沫の飛散に備えたものである。
以上のように本発明品によれば近年増々普及する傾向にある洋式即ち着座式便器の排便性を向上させ近年現代病の一つとも云われる便秘症解消の一助とすることが出来る。
【図面の簡単な説明】
【図１】本発明の実施例の側面図である。
【図２】図１のＡ−Ａ矢視平面図である。
【図３】本発明の他の実施例の側面図である。
【図４】図１のＢ−Ｂ矢視正面図である。
【符号の説明】
１、　　　　便座部
２、　　　　凸部
３、　　　　臀部着座面
４、　　　　角度矢印
５、　　　　寸法矢印
６、　　　　開口部
７、　　　　Ｕ時形開口部
８、　　　　従来の開口線
９、　　　　便器基部
１０、　　　　凸起部
１１、１１Ａ、便座蓋
１２、　　　　小便座
１３、　　　　矢印
１４、　　　　仮想線
１５、　　　　開口線
１６、　　　　支点部
１７、１７Ａ、体形線
【図１】
2004033713.tif 000003
【図２】
2004033713.tif 000004
【図３】
2004033713.tif 000005
【図４】
2004033713.tif 000006
(57)【要約】　　　（修正有）【課題】着座式の洋式便器の排便性の向上を計る事。【解決手段】排便時の着座姿勢が大腿部を前上がりに臀部下部が前方に引き上げられるよう着座部の前方に、凸部６を設けた前高形状の補助便座２を取り付けて排便着座時に肛門部が開放され易く従って排便がし易くなるような補助便座を提供する。【選択図】　　図１
2004033714.tif 000002
【特許請求の範囲】
【請求項１】
着座式便器の着座者前方の便座面の上に着脱可能に取り付ける事が出来る、下面に位置決め突起（５）上面に凸部（６）と内側にＵ字形開口部（１１）を供えた前高形状をした補助便座（２）。
【発明の詳細な説明】
【０００１】
【発明の属する技術分野】
本発明は洋式即ち着座式便器の構造に関わる技術に関する。
【０００２】
【従来の技術】
従来の便器には洋式即ち着座式便器と和式便器があり。洋式便器の着座部の形状は着座面がおおむね水平になっている。従って使用者の着座時の姿勢も腰から膝にかけてのいわゆる大腿部の体位はほぼ水平になる。一方着座式でない和式便器による排便時の姿勢はいわゆるしゃがむ姿勢、従って大腿部の体位は前上がりの屈曲した姿勢となる事になる。
【０００３】
【発明が解決しようとする課題】
上記の様に従来の洋式便器と和式便器とでは使用者の排便時の姿勢は大きく異なっていて、その結果大便排出時の排出感即ち排出性に差が有るように思われる。　即ち一般的にも云われているし、本発明者の体験的実感でもそうであるが排便性はしゃがむ姿勢で排便する和式便器の方が良いようである。しかし近年の家屋建物の傾向として大小便に兼用出来て使用空間が狭くてすみ、且つ衛生管理上も優れている洋式便器の方がより普及してゆく傾向にある。　一方排便性の良否は即便秘症に直結する要素であり、その主要因は食生活によると云えども増々普及しつつある洋式便器による排便姿勢が排便性の点から必ずしも最適のものではないと思われるので、その改善を計る事を課題とする。
【０００４】
【課題を解決する為の手段】
従来の和式便器と着座式の洋式便器との排便性の差は排便時の姿勢にあると考えて本発明者が種々試みた結果、上体は垂直のまま大腿部を前上がりに屈曲させ、さらに臀部下部を前方へ持ち上げるような体位が肛門部が最も開放され易く排便性が良くなると云う結果を感得した。そこで本発明者は着座式便器に於いて着座時の体位がそのような姿勢になるよう着座式便器の便座の上に補助便座を取り付けることにより、着座式便器の排便性の向上を計るものである。
【０００５】
【発明実施の形態】
本発明の実施の形態を示す実施例の図面を参照にして説明する。
図１の実施例は従来の着座式便器の便座部１の上に、上面に凸部６と下面に固定用の位置決め突起５を備え内側にＵ字形開口部１１を設けた前高形状のＵ字形補助便座２を乗せるかたちで取り付けたものである。
【０００６】
【発明の効果】
以上のように構成した本発明の補助便器によれば、大便排便時着座者の体姿勢は体形線１０の如く上半身は垂直に大腿部は前高になりその時の両者の成す角度は角度矢印４の如く鋭角を成すことになり更に凸部６の接触により臀部が前方に引き上げられる形になる。発明者の体験によれば、その結果肛門部は開放され易い体勢になり、垂直な上体の体姿勢による腹圧の下方への圧力とあい増して排便がし易くなる効果を生ずる。
図２のＵ字形開口部１１は凸部６の大腿部押し上げ効果が大腿部全体におよぶように当たり面を広くしたものである。
以上のように図１の実施例のような補助便器を使用すれば着座式洋式便器における大便排便性の向上を計る事ができる。　尚着座式洋式便器は大小便共用であるので小用時にには同補助便器は取り外しておくことになる。
以上のように本発明品を使用すれば近年増々普及する傾向にある洋式即ち着座式便器における排便性を向上させ近年現代病の一つとも云われる便秘症解消の一助とすることが出来る。
【図面の簡単な説明】
【図１】本発明の実施例の側面図である。
【図２】本発明実施例の平面図である。
【符号の説明】
１、　　　　便座部
２、　　　　補助便座
３、　　　　臀部着座面
４、　　　　角度矢印
５、　　　　位置決め突起
６、　　　　凸部
７、　　　　便座蓋
８、　　　　支点
９、　　　　便座基部
１０、　　　体形線
１１、　　　Ｕ時形開口部
【図１】
2004033714.tif 000003
【図２】
2004033714.tif 000004
(57)【要約】【課題】サウナ浴におけるサウナ室は上の方が温度が高く、全身からの発汗作用の前に頭部が暑くなって我慢できずにサウナ室を出ることが多かった。【解決手段】この悩みを解決する手段として本発明は、二重にした帽子の隙間に冷水をいれ、頭部に直接熱気を触れさせないばかりか、水の冷却効果で頭部を冷やすことで、快適なサウナ浴を可能にした。【選択図】　図１
2004033716.tif 000002
【特許請求の範囲】
【請求項１】
内部に水収納部を有する帽体と、該帽体に設けられた給排水用の弁と、帽体の外部カバー部と内部カバー部間に形状を維持させ、一定の隙間を保つために設けられた複数又は一体化した連結具よりなることを特徴とする水冷式キャップ。
【発明の詳細な説明】
【０００１】
【発明の属する技術分野】
サウナ風呂に入浴する際や、炎天下等での頭部の暑さを凌ぐために使用される。
【０００２】
【従来の技術】
サウナ室は上になるほど温度が高く、座っていても体の上に位置する頭部だけが熱くなり、本来のサウナ浴の目的である全身からの発汗作用が得られない前に、我慢できずに浴室を出ざるを得ないことが多く、この頭部の暑さを凌ぐ方法としては、タオルを水で冷やし、頭に頬かむりの状態で覆う方法が一般的であった。
また、炎天下での頭部の暑さを凌ぐ方法としては、日傘や麦藁帽子等がある。
【０００３】
【発明が解決しようとする課題】
然しながらサウナ室の場合、この方法はタオルに含まれた水分がサウナ室の９０度以上にもなる熱気によって水蒸気化して、余計に蒸し暑くなり、また直ぐに乾いてしまうといった問題点が有った。
また炎天下においては日傘や麦藁帽子では動きにくいことと、日陰効果はあっても冷却の効果は望めなかった。
【０００４】
【課題を解決するための手段】
本発明ではこれらの課題を解決するために、内部に水収納部を有する帽体と、該帽体に設けられた給排水用の弁と、帽体の外部カバー部と内部カバー部間に形状を維持させ、一定の隙間を保つために連結具設け、冷水を入れて被ることで、熱気が直接頭部に触れないとともに、水の冷気で頭部を覆ってしまうという手段をとった。
【０００５】
【発明の実施の形態】
以降、図に添って本発明の第１の実施の形態を説明する。
図１は本発明の帽体の断面図であるが、素材は水が漏れなく形状に柔軟性のある素材であれば特定しない。
外部カバー部（１）と内部カバー部（３）により帽体が構成されているが、外部カバー部（１）の上部中央には冷却水の出し入れ用の弁（２）を設け、その内側に内部カバー部（３）が配され端部は、該外部カバー部（１）と水漏れの無いように接合されている。
また、外部カバー部（１）と内部カバー部（３）の間には、その形状と一定の隙間を保つために複数個の連結具（４）が外部カバー部（１）内部カバー部（３）それぞれを結ぶ形で配されている。
つば（５）は一般の帽子のように脱着の際に手で持ちやすいように前方に取りつけてあるが、本発明の必須条件ではない。
尚、図１、図２、図３に第１の形態として連結具の形状や配置が示されているが、水収納部（６）としての隙間を保ち、帽体としての形状が維持される形状や配置であればこの事例に限定されるものではない。
【０００６】
次に第二以降の実施の形態であるが、図４から図８までに示してあるように連結具（４）の形状や配置が異なっているだけで、帽体の形状を維持し且つ一定の隙間を持たせ、内部に水収納部を設けるという連結具（４）の目的は第一の実施の形態と同様である。
また連結具（４）のこのような目的を考えると、図では示さないが外部カバー部（１）と内部カバー部（３）の隙間の形状を、弾力を有するネットで形成して双方の間に挟み込む方法も考えられるが、此れ等の実施の形態の選定は素材の特性や加工性、コスト等を考慮して実施される。
【０００７】
【発明の効果】
サウナ風呂は東京オリンピックの際、フィンランドより日本に持ち込まれ、以来今日では銭湯にまで設備されるほどの普及が成された。
然しながら、サウナ室の熱気は上の方により熱い熱気がたまり、サウナ浴をしていても、頭部が熱くなってしまい、全身からの発汗作用が始まる前にサウナ室から出ざるを得ないことが多く、今一つサウナ浴を堪能できずに悔やんでいる人が多かった。
本発明の水冷式キャップは、こういった悩みを解消し、多くの人に快適なサウナ浴を提供すると共に同じような条件、例えば炎天下での熱射病予防等にも貢献できる。
【０００８】
【図面の簡単な説明】
【図１】本発明の帽体の断面図である。
【図２】図１の側面図である。
【図３】図２の平面図である。
【図４】連結具を紐状にした断面図である。
【図５】図４の平面図である。
【図６】図４で連結具を正方形の紐状にした時のＡ−Ａ断面図である。
【図７】図４で連結具を円形の紐状にした時のＡ−Ａ断面図である。
【図８】図４で連結具を帯の紐状にした時のＡ−Ａ断面図である。
【符号の説明】
１、外部カバー部
２、弁
３、内部カバー部
４、連結具
５、つば
６、水収納部
【図１】
2004033716.tif 000003
【図２】
2004033716.tif 000004
【図３】
2004033716.tif 000005
【図４】
2004033716.tif 000006
【図５】
2004033716.tif 000007
【図６】
2004033716.tif 000008
【図７】
2004033716.tif 000009
【図８】
2004033716.tif 000010